(57)【要約】【課題】ペット用トイレ砂とペットの糞とを効率よく選り分けることができる動物用トイレを提供する。【解決手段】支持部材１１が、内部に収納室３１を有し、収納室３１は上部開口３２および側部開口３３を有している。収納室３１は、引出板１２を支持する引出板ガイド３５と、篩１３を支持する篩支持部３６と、砂用トレイ１４を支持する砂用トレイガイド３７とを有している。運動伝達機構１５が、引出板１２と篩１３とに結合され、引出板１２のスライド運動を回転運動に変換し、その回転運動を引出板１２のスライド方向に沿った往復運動に変換して篩１３を往復運動可能になっている。ストッパー１６が、引出板１２を収納室３１から引き出すとき、その上のペット用トイレ砂およびペットの糞を収納室３１の内部に留める。押出部１８が、引出板１２を収納室３１に挿入するとき、篩１３の上のペット用トイレ砂およびペットの糞を篩１３から押し出す。【選択図】図１
2008035739.tif 000002
【特許請求の範囲】
【請求項１】
支持部材と引出板と篩と運動伝達機構と砂用トレイとストッパーとを有し、
前記支持部材は内部に収納室を有し、前記収納室は上部開口および側部開口を有し、前記側部開口を挟む内部両側面の互いに対向する位置に、前記引出板を支持して前記側部開口から外へのスライドを案内する引出板ガイドと、前記引出板ガイドの下方で前記篩を支持する篩支持部とを有し、
前記引出板は前記収納室の内部で前記引出板ガイドによりスライド可能に支持されて前記上部開口の下方に配置され、
前記篩はペット用トイレ砂とペットの糞とを篩分け可能であって、前記収納室の内部で前記篩支持部により前記引出板と平行にスライド可能に支持されて常時、前記引出板の下方に配置され、
前記運動伝達機構は前記支持部材に取り付けられて前記引出板の前記引出板ガイドで案内されたスライド運動を、前記引出板の１行程で前記篩を複数回往復運動させる前記篩のスライド運動に変換する構成を有し、
前記砂用トレイは前記収納室の内部で前記篩の下方に配置され、
前記ストッパーは前記引出板を前記収納室から引き出すとき、その上のペット用トイレ砂およびペットの糞を前記収納室の内部に留めるよう、前記収納室の内部で前記側部開口の長さ全体に渡って設けられて前記引出板の上面に接していることを、
特徴とする動物用トイレ。
【請求項２】
押出部と廃棄トレイとを有し、
前記押出部は前記引出板を前記収納室に挿入するとき、前記篩の上のペット用トイレ砂およびペットの糞を前記篩の前記側部開口と反対側の側縁から押し出すよう前記引出板の前記側部開口と反対側の側縁の下部に設けられ、
前記廃棄トレイは前記収納室の内部で前記篩の前記側部開口と反対側の側縁の常に下方に配置され前記収納室から取出可能であることを、
特徴とする請求項１記載の動物用トイレ。
【請求項３】
覆い部材とブラシと砂用トレイ固定部材と廃棄トレイ固定部材とを有し、
前記引出板は下部にスライド方向に沿って取り付けられたラックを有し、
前記運動伝達機構は前記ラックに噛合するピニオンと往復スライダクランク部材とを有し、前記ピニオンは前記引出板のスライド運動を回転運動に変換するよう前記ラックと噛合して前記支持部材に回転可能に取り付けられ、前記往復スライダクランク部材は前記ピニオンの回転運動を前記引出板のスライド方向に沿った往復運動に変換して前記篩を往復運動させるよう一端が前記ピニオンに固定されたクランクと、前記クランクの他端に一端が回転可能に取り付けられ他端が前記篩に回転可能に取り付けられたレバーとから成り、
前記支持部材は前記篩支持部の下方で前記砂用トレイを支持して前記側部開口から外へのスライドを案内する砂用トレイガイドを有し、
前記砂用トレイは前記収納室の内部で前記砂用トレイガイドによりスライド可能に支持されて前記篩の下方に配置され、
前記砂用トレイおよび前記廃棄トレイは前記収納室の内部で互いに隣り合うよう配置され、
前記覆い部材は前記砂用トレイと前記廃棄トレイとの境界の上方を覆うよう設けられ、
前記ブラシは前記篩がスライド運動するとき前記覆い部材の上面を掃くよう、前記篩の下部に前記篩の前記側部開口と反対側の側縁に沿って設けられ、
前記砂用トレイ固定部材は前記砂用トレイを前記支持部材に着脱可能に固定するよう前記砂用トレイと前記支持部材とに設けられ、
前記廃棄トレイ固定部材は前記廃棄トレイを前記支持部材に着脱可能に固定するよう前記廃棄トレイと前記支持部材とに設けられていることを、
特徴とする請求項２記載の動物用トイレ。
【発明の詳細な説明】
【技術分野】
【０００１】
本発明は、動物用トイレに関する。
【背景技術】
【０００２】
一般的に犬や猫などの動物用トイレとして、箱や受皿などの容器の内部にペット用トイレ砂を敷いたものが使用されている（例えば、特許文献１参照）。しかし、容器の内部に犬や猫が排泄したとき、尿で固まったトイレ砂の塊や糞をスコップで選り分けるのに手間がかかるうえ、手が触れることがあり、不衛生であるという問題があった。また、排泄後のトイレ砂をすべて取り換えると、トイレ砂の消費量が増え、その購入費用が嵩むという問題もあった。
【０００３】
この問題を解決するために、本発明者は、ペット用トイレ砂を敷き詰めた引出板の下に、引出篩を配置し、その下に引出トレイを配置して、引出板を引き出すことにより、ペット用トイレ砂およびペットの糞を引出篩に落とすことができる動物用トイレを提案している（例えば、特許文献２参照）。この場合、尿で固まったトイレ砂の塊や糞が引出篩の上に残るため、それらを容易かつ衛生的に選り分けて捨てることができるとともに、利用可能なペット用トイレ砂が引出トレイに落ちるため、それらを繰り返し使用することができ、トイレ砂の購入費用を低減することができる。
【０００４】
【特許文献１】特開平８−３７９８１号公報
【特許文献２】特許第３７３９３８７号公報
【発明の開示】
【発明が解決しようとする課題】
【０００５】
特許文献２記載の動物用トイレでは、引出篩の上に利用可能なペット用トイレ砂が残ることがあり、それらも篩い落としたいという要望があった。このような要望に応えるため、ペット用トイレ砂とペットの糞とを選り分ける効率をさらに高める必要があるという課題があった。なお、特許文献２記載の動物用トイレでは、手で引出篩を振動させることにより、引出篩の上に残った利用可能なペット用トイレ砂を篩い落としている。
【０００６】
本発明は、このような課題に着目してなされたもので、ペット用トイレ砂とペットの糞とを効率よく選り分けることができる動物用トイレを提供することを目的としている。
【課題を解決するための手段】
【０００７】
上記目的を達成するために、本発明に係る動物用トイレは、支持部材と引出板と篩と運動伝達機構と砂用トレイとストッパーとを有し、前記支持部材は内部に収納室を有し、前記収納室は上部開口および側部開口を有し、前記側部開口を挟む内部両側面の互いに対向する位置に、前記引出板を支持して前記側部開口から外へのスライドを案内する引出板ガイドと、前記引出板ガイドの下方で前記篩を支持する篩支持部とを有し、前記引出板は前記収納室の内部で前記引出板ガイドによりスライド可能に支持されて前記上部開口の下方に配置され、前記篩はペット用トイレ砂とペットの糞とを篩分け可能であって、前記収納室の内部で前記篩支持部により前記引出板と平行にスライド可能に支持されて常時、前記引出板の下方に配置され、前記運動伝達機構は前記支持部材に取り付けられて前記引出板の前記引出板ガイドで案内されたスライド運動を、前記引出板の１行程で前記篩を複数回往復運動させる前記篩のスライド運動に変換する構成を有し、前記砂用トレイは前記収納室の内部で前記篩の下方に配置され、前記ストッパーは前記引出板を前記収納室から引き出すとき、その上のペット用トイレ砂およびペットの糞を前記収納室の内部に留めるよう、前記収納室の内部で前記側部開口の長さ全体に渡って設けられて前記引出板の上面に接していることを、特徴とする。
【０００８】
本発明に係る動物用トイレは、収納室の上部開口から引出板の上面にペット用トイレ砂を敷き詰めて使用される。小型犬や猫などのペットがトイレ砂の上に尿や糞を排泄したならば、引出板を側部開口から外へスライドさせて収納室から引き出す。このとき、ストッパーが引出板の上のペット用トイレ砂およびペットの糞を収納室の内部に留め、引出板の上から外れたペット用トイレ砂およびペットの糞は、その下方の篩の上に落下する。ペット用トイレ砂およびペットの糞を篩の上に落下させたならば、引出板を収納室に戻すようスライドさせて収納室に挿入する。引出板をスライドさせたとき、運動伝達機構が引出板のスライド運動を回転運動に変換し、その回転運動を引出板のスライド方向に沿った往復運動に変換して篩を往復運動させる。これにより、篩が往復運動しない場合に比べて、篩に落下したペット用トイレ砂とペットの糞とを効率よく選り分けることができる。
【０００９】
尿で固まったトイレ砂の塊や糞は篩の上に残り、他のペット用トイレ砂は篩の下方の砂用トレイの上に落ちる。これにより、尿で固まったトイレ砂の塊や糞のみを容易かつ衛生的に選り分けて捨てることができる。また、砂用トレイを収納室から引き出し、その中のペット用トイレ砂を引出板の上面に敷き詰める。これにより、利用可能なペット用トイレ砂を繰返し使用することができ、トイレ砂購入の費用を低減することができる。
【００１０】
本発明に係る動物用トイレで、ストッパーは、支持部材に固定されていても、支持部材に着脱可能に取り付けられていてもよい。また、支持部材の上面には、上部開口の外側に簀の子状の砂落としが設けられていることが好ましい。この場合、ペットが砂落としの上を通ることで、排泄の際に足の裏に付いたトイレ砂が砂落としの上で払い落とされるので、室内にトイレ砂が散らばりにくくなる。
【００１１】
本発明に係る動物用トイレは、押出部と廃棄トレイとを有し、前記押出部は前記引出板を前記収納室に挿入するとき、前記篩の上のペット用トイレ砂およびペットの糞を前記篩の前記側部開口と反対側の側縁から押し出すよう前記引出板の前記側部開口と反対側の側縁の下部に設けられ、前記廃棄トレイは前記収納室の内部で前記篩の前記側部開口と反対側の側縁の常に下方に配置され前記収納室から取出可能であることが好ましい。
【００１２】
この押出部を有する場合、引出板をスライドさせて収納室に挿入したとき、篩の往復運動とともに、引出板の下部に設けられた押出部が、篩の上のペット用トイレ砂およびペットの糞を篩の側部開口と反対側の側縁から押し出す。このとき、尿で固まったトイレ砂の塊や糞は、押出部により篩から押し出されて廃棄トレイに落ち、他のペット用トイレ砂は、篩の下方の砂用トレイの上に落ちる。廃棄トレイを収納室から取り出して、尿で固まったトイレ砂の塊や糞のみを容易かつ衛生的に選り分けて捨てることができる。なお、収納室は側部開口と反対の側部に廃棄用開口を有し、廃棄トレイは廃棄用開口から収納室の外へ取出可能であってもよい。
【００１３】
本発明に係る動物用トイレは、覆い部材とブラシと砂用トレイ固定部材と廃棄トレイ固定部材とを有し、前記引出板は下部にスライド方向に沿って取り付けられたラックを有し、前記運動伝達機構は前記ラックに噛合するピニオンと往復スライダクランク部材とを有し、前記ピニオンは前記引出板のスライド運動を回転運動に変換するよう前記ラックと噛合して前記支持部材に回転可能に取り付けられ、前記往復スライダクランク部材は前記ピニオンの回転運動を前記引出板のスライド方向に沿った往復運動に変換して前記篩を往復運動させるよう一端が前記ピニオンに固定されたクランクと、前記クランクの他端に一端が回転可能に取り付けられ他端が前記篩に回転可能に取り付けられたレバーとから成り、前記支持部材は前記篩支持部の下方で前記砂用トレイを支持して前記側部開口から外へのスライドを案内する砂用トレイガイドを有し、前記砂用トレイは前記収納室の内部で前記砂用トレイガイドによりスライド可能に支持されて前記篩の下方に配置され、前記砂用トレイおよび前記廃棄トレイは前記収納室の内部で互いに隣り合うよう配置され、前記覆い部材は前記砂用トレイと前記廃棄トレイとの境界の上方を覆うよう設けられ、前記ブラシは前記篩がスライド運動するとき前記覆い部材の上面を掃くよう、前記篩の下部に前記篩の前記側部開口と反対側の側縁に沿って設けられ、前記砂用トレイ固定部材は前記砂用トレイを前記支持部材に着脱可能に固定するよう前記砂用トレイと前記支持部材とに設けられ、前記廃棄トレイ固定部材は前記廃棄トレイを前記支持部材に着脱可能に固定するよう前記廃棄トレイと前記支持部材とに設けられていることが好ましい。
【００１４】
この覆い部材を有する場合、覆い部材により、砂用トレイと廃棄トレイとの間に、ペット用トイレ砂やペットの糞が落ちるのを防ぐことができる。また、ブラシにより、覆い部材の上面に落ちたペット用トイレ砂やペットの糞を、砂用トレイまたは廃棄トレイに掃き落とすことができる。砂用トレイ固定部材および廃棄トレイ固定部材により、砂用トレイおよび廃棄トレイがずれるのを防止し、ペット用トイレ砂やペットの糞が砂用トレイまたは廃棄トレイから外れて落ちるのを防ぐことができる。引出板のラック、運動伝達機構のピニオンおよび往復スライダクランク部材により、篩を効率よく往復運動させることができる。なお、クランクは、一端がピニオンに直接固定されていても、ピニオンのシャフトを介して間接的にピニオンに固定されていてもよい。
【発明の効果】
【００１５】
本発明によれば、ペット用トイレ砂とペットの糞とを効率よく選り分けることができる動物用トイレを提供することができる。
【発明を実施するための最良の形態】
【００１６】
以下、図面に基づき、本発明の実施の形態について説明する。
図１乃至図３は、本発明の実施の形態の動物用トイレを示している。
図１乃至図３に示すように、動物用トイレ１０は、支持部材１１と引出板１２と篩１３と砂用トレイ１４と運動伝達機構１５とストッパー１６と仕切板１７と押出部１８と開閉部材１９と廃棄トレイ２０と覆い部材２１とブラシ２２と砂用トレイ固定部材２３と廃棄トレイ固定部材２４とを有している。
【００１７】
支持部材１１は、直方体の箱型で、内部に収納室３１を有している。収納室３１は、支持部材１１の上面の前寄りに上部開口３２を有し、支持部材１１の前面に側部開口３３を有し、支持部材１１の後寄りの上面から後面にかけて廃棄用開口３４を有している。収納室３１は、側部開口３３を挟む内部両側面の互いに対向する位置に、上から順に、引出板ガイド３５と篩支持部３６と砂用トレイガイド３７とを有している。
【００１８】
引出板ガイド３５は、薄く細長いスライダから成り、引出板１２を支持して、側部開口３３から外へのスライドを案内するよう設けられている。篩支持部３６は、薄く細長いスライダから成り、引出板ガイド３５の下方で、篩１３が引出板１２のスライド方向に沿って往復運動するのを支持するよう設けられている。砂用トレイガイド３７は、篩支持部３６の下方で砂用トレイ１４を支持して、側部開口３３から外へのスライドを案内するよう設けられている。砂用トレイガイド３７は、その底面が支持部材１１の底面を成している。
【００１９】
引出板１２は、矩形状の底板１２ａと、底板１２ａの両縁および前端に底板１２ａの同じ側に立ち上がるよう設けられた側壁１２ｂとを有している。底板１２ａの両縁の側壁１２ｂは、底板１２ａの後端より後方に突出するよう設けられている。引出板１２は、底板１２ａの前端に位置する側壁１２ｂの外側に、取っ手１２ｃを有している。引出板１２は、底板１２ａの下面の両縁に沿って、側壁１２ｂと反対側に突出して取り付けられた直線歯形のラック３８を有している。引出板１２は、底板１２ａの後端側から側部開口３３に挿入され、収納室３１の内部で引出板ガイド３５により支持されて上部開口３２の下方に配置されている。
【００２０】
篩１３は、矩形板状の篩板１３ａと、篩板１３ａの両縁に篩板１３ａの同じ側に立ち上がるよう設けられた側壁１３ｂとを有している。篩１３は、収納室３１の内部で篩支持部３６により支持されて引出板１２の下方に配置されている。篩１３は、ペット用トイレ砂とペットの糞とを篩分け可能に構成されている。なお、具体的な一例では、篩１３の目の大きさは５ｍｍ×３０ｍｍ、篩１３の目同士の間隔は３ｍｍである。
【００２１】
砂用トレイ１４は、矩形状の底板１４ａと、底板１４ａの周囲に底板１４ａの同じ側に立ち上がるよう設けられた周壁１４ｂとを有している。砂用トレイ１４は、底板１４ａの前端に位置する周壁１４ｂの外側に、取っ手１４ｃを有している。砂用トレイ１４は、底板１４ａの後端側から側部開口３３に挿入され、収納室３１の内部で砂用トレイガイド３７により支持されて篩１３の下方に配置されている。
【００２２】
運動伝達機構１５は、ラック３８に噛合する１対のピニオン３９とシャフト４０と１対の往復スライダクランク部材４１とを有している。各ピニオン３９は、シャフト４０を中心として回転するよう、それぞれシャフト４０の両端に取り付けられている。シャフト４０は、側部開口３３を横切るよう支持部材１１の内部両側面に架け渡されている。シャフト４０は、各ピニオン３９が引出板１２の各ラック３８に噛み合わされるよう取り付けられている。各往復スライダクランク部材４１は、クランクとレバーとから成る。クランクは、一端が各ピニオン３９とともに回転可能にシャフト４０に取り付けられている。レバーは、クランクの他端に一端が回転可能に取り付けられ他端が篩１３の側壁の外面に回転可能に取り付けられている。こうして、運動伝達機構１５は、引出板１２をスライドさせたとき、各ラック３８に噛み合った各ピニオン３９が回転して引出板１２のスライド運動を回転運動に変換し、各往復スライダクランク部材４１によりその回転運動を引出板１２のスライド方向に沿った往復スライド運動に変換して、篩１３を往復運動させるようになっている。運動伝達機構１５は、引出板１２の引出板ガイド３５で案内されたスライド運動を、引出板１２の１行程で篩１３を小刻みに複数回往復運動させる。好ましくは、引出板１２の収納位置から最大に引き出して元に戻すまでの１サイクルで、篩１３を５０〜６０ミリの距離で１０〜１２回、往復運動させるとよい。
【００２３】
ストッパー１６は、排砂板４２と接触板４３とを有している。排砂板４２は、金属製で、上部開口３２の前縁に沿って、引出板１２を引き出す方向に対して反対方向に傾斜して支持部材１１に固定されている。排砂板４２は、引出板１２の底板１２ａのおよび底板１２ａの両縁の側壁１２ｂとの間に間隙を有するよう取り付けられている。接触板４３は、細長く薄い可撓性のプラスチック板に、等間隔で多数の切れ目を入れて成っている。接触板４３は、引出板１２の底板１２ａの上面および底板１２ａの両縁の側壁１２ｂの内面に接するよう、排砂板４２の周囲に取り付けられている。こうして、ストッパー１６は、収納室３１の内部で側部開口３３の長さ全体に渡って設けられている。ストッパー１６は、引出板１２を収納室３１から引き出すとき、その上のペット用トイレ砂およびペットの糞を収納室３１の内部に留めるようになっている。
【００２４】
仕切板１７は、金属製で、上部開口３２の後縁に沿って、引出板１２を引き出す方向に傾斜して支持部材１１に固定されている。仕切板１７は、引出板１２の底板１２ａおよび底板１２ａの両縁の側壁１２ｂとの間に間隙を有するよう取り付けられている。
【００２５】
押出部１８は、押出板４４と排砂ブラシ４５とを有している。押出板４４は、引出板１２の底板１２ａの下部に、側部開口３３と反対側の後端側の側縁に沿って側壁１２ｂと反対側に突出して取り付けられている。押出板４４は、引出板１２を引き出す方向に対して反対方向に傾斜して取り付けられている。押出板４４は、篩１３との間に間隙を有するよう取り付けられている。排砂ブラシ４５は、先端が篩板１３ａの上面に接するよう、押出板４４の前方側の面に取り付けられている。排砂ブラシ４５は、引出板１２を収納室３１に挿入したとき、篩１３の後端側の側縁より後方に位置するよう取り付けられている。こうして、押出部１８は、引出板１２を収納室３１に挿入するとき、篩１３の上のペット用トイレ砂およびペットの糞を、篩１３の側部開口３３と反対側の後端側の側縁から押し出すようになっている。
【００２６】
開閉部材１９は、廃棄用開口３４の上部を覆う簀の子状の砂落とし板４６と、支持部材１１の後面に位置する廃棄用開口３４の側部を覆う壁板材４７とを有している。開閉部材１９は、廃棄用開口３４の前縁に位置する砂落とし板４６の側縁を中心として回転可能に取り付けられている。開閉部材１９は、上方に持ち上げて廃棄用開口３４を開き、下方に降ろして廃棄用開口３４を閉じるようになっている。
【００２７】
廃棄トレイ２０は、矩形状の底板２０ａと、底板２０ａの周囲に底板２０ａの同じ側に立ち上がるよう設けられた周壁２０ｂとを有している。廃棄トレイ２０は、底板２０ａの後端に位置する周壁２０ｂが上方に立ち上がり、その上端に取っ手２０ｃを有している。廃棄トレイ２０は、収納室３１の内部で、篩１３の側部開口３３と反対側の側方空間の下方に、砂用トレイ１４に隣り合うよう配置されている。これにより、廃棄トレイ２０は、押出部１８により篩１３から押し出されたペットの糞を収納可能になっている。廃棄トレイ２０は、開閉部材１９を開けて廃棄用開口３４から収納室３１の外へ取出可能になっている。
【００２８】
覆い部材２１は、断面がＴ字型の細長い部材から成り、収納室３１の内部で両側面に架け渡されて取り付けられている。覆い部材２１は、砂用トレイ１４と廃棄トレイ２０との境界に、その境界の上方を覆うよう設けられている。
【００２９】
ブラシ２２は、篩１３の下部に、篩１３の側部開口３３と反対側の後端側の側縁に沿って設けられている。ブラシ２２は、篩１３が往復運動するとき、覆い部材２１の上面に接して、覆い部材２１の上面を掃くよう設けられている。
【００３０】
砂用トレイ固定部材２３は、第一金属板（図示せず）と第一磁石４８とから成っている。第一金属板は、砂用トレイ１４の底板１４ａの後端に位置する周壁１４ｂの外面に取り付けられている。第一磁石４８は、砂用トレイ１４を収納室３１に収納したとき第一金属板に付着するよう、支持部材１１の内部側面から突出して設けられている。こうして、砂用トレイ固定部材２３は、砂用トレイ１４を収納室３１内に着脱可能に固定するようになっている。
【００３１】
廃棄トレイ固定部材２４は、第二金属板（図示せず）と第二磁石４９とから成っている。第二金属板は、廃棄トレイ２０の底板２０ａの前端に位置する周壁２０ｂの外面に取り付けられている。第二磁石４９は、廃棄トレイ２０を収納室３１に収納したとき第二金属板に付着するよう、支持部材１１の内部側面から突出して設けられている。こうして、廃棄トレイ固定部材２４は、廃棄トレイ２０を収納室３１内に着脱可能に固定するようになっている。
【００３２】
次に、作用について説明する。
動物用トイレ１０は、収納室３１の上部開口３２から引出板１２の上面にペット用トイレ砂を敷き詰めて使用される。小型犬や猫などのペットがトイレ砂の上に尿や糞を排泄したならば、引出板１２を側部開口３３から外へスライドさせて収納室３１から引き出す。このとき、ストッパー１６が引出板１２の上のペット用トイレ砂およびペットの糞を収納室３１の内部に留め、引出板１２の上から外れたペット用トイレ砂およびペットの糞は、その下方の篩１３の上に落下する。ペット用トイレ砂およびペットの糞を篩１３の上に落下させたならば、引出板１２を収納室３１に戻すようスライドさせて収納室３１に挿入する。引出板１２をスライドさせたとき、運動伝達機構１５が引出板１２のスライド運動を回転運動に変換し、その回転運動を引出板１２のスライド方向に沿った往復運動に変換して篩１３を往復運動させる。これにより、篩１３が往復運動しない場合に比べて、篩１３に落下したペット用トイレ砂とペットの糞とを効率よく選り分けることができる。
【００３３】
また、引出板１２をスライドさせて収納室３１に挿入したとき、篩１２の往復運動とともに、引出板１２の下部に設けられた押出部１８が、篩１３の上のペット用トイレ砂およびペットの糞を、篩１３の側部開口３３と反対側の側縁から押し出す。このとき、尿で固まったトイレ砂の塊や糞は、押出部１８により篩１３から押し出されて廃棄トレイ２０に落ち、他のペット用トイレ砂は、篩１３の下方の砂用トレイ１４の上に落ちる。これにより、廃棄トレイ２０を収納室３１から取り出して、尿で固まったトイレ砂の塊や糞のみを容易かつ衛生的に選り分けて捨てることができる。また、砂用トレイ１４を収納室３１から引き出し、その中のペット用トイレ砂を引出板１２の上面に敷き詰める。これにより、利用可能なペット用トイレ砂を繰返し使用することができ、トイレ砂購入の費用を低減することができる。
【００３４】
動物用トイレ１０は、ペットが砂落とし板４６の上を通ることで、排泄の際に足の裏に付いたトイレ砂が砂落とし板４６の上で払い落とされるので、室内にトイレ砂が散らばりにくくなる。また、覆い部材２１により、砂用トレイ１４と廃棄トレイ２０との間に、ペット用トイレ砂やペットの糞が落ちるのを防ぐことができる。ブラシ２２により、覆い部材２１の上面に落ちたペット用トイレ砂やペットの糞を、砂用トレイ１４または廃棄トレイ２０に掃き落とすことができる。砂用トレイ固定部材２３および廃棄トレイ固定部材２４により、砂用トレイ１４および廃棄トレイ２０がずれるのを防止し、ペット用トイレ砂やペットの糞が砂用トレイ１４または廃棄トレイ２０から外れて落ちるのを防ぐことができる。
【図面の簡単な説明】
【００３５】
【図１】本発明の実施の形態の動物用トイレを示す透視側面図である。
【図２】図１に示す動物用トイレの正面図である。
【図３】図１に示す動物用トイレのＡ−Ａ線断面図である。
【符号の説明】
【００３６】
１０  動物用トイレ
１１  支持部材
１２  引出板
１３  篩
１４  砂用トレイ
１５  運動伝達機構
１６  ストッパー
１７  仕切板
１８  押出部
１９  開閉部材
２０  廃棄トレイ
２１  覆い部材
２２  ブラシ
２３  砂用トレイ固定部材
２４  廃棄トレイ固定部材
３１  収納室
３２  上部開口
３３  側部開口
３４  廃棄用開口
３５  引出板ガイド
３６  篩支持部
３７  砂用トレイガイド
３８  ラック
３９  ピニオン
４０  シャフト
４１  往復スライダクランク部材
【図１】
2008035739.tif 000003
【図２】
2008035739.tif 000004
【図３】
2008035739.tif 000005